(57)【特許請求の範囲】
【請求項１】
取付体で複数枚の刃体を並べて支持し、互いに隣接する両刃体間にひげかす排除板を備えた剃刀において、
前記ひげかす排除板にあっては、取付体に取着した固定部と、ひげかす押出部を有する可動部と、この固定部に対しこの可動部を支持する連結部とを設け、この可動部のひげかす押出部が、両刃体間の刃先側に没入するとともに、両刃体間の刃先側から突出し、
この没入動作時や突出動作時に互いに摺接し得る重合面を前記固定部と可動部とに設けた
ことを特徴とするひげかす排除板付き剃刀。
【請求項２】
前記取付体は、刃台と、天板と、この刃台と天板との間で前記各刃体及びひげかす排除板を挟持した状態でこの刃台と天板とを互いに連結する複数の支軸とを有し、
前記固定部は、この取付体の支軸が挿着される挿嵌部を有している
ことを特徴とする請求項１に記載のひげかす排除板付き剃刀。
【請求項３】
前記連結部は前記固定部に対し一体成形され、前記可動部はこの連結部に対し折曲可能部を介して一体成形され、この折曲可能部を折り曲げて前記固定部の重合面上に前記可動部の重合面を載せて摺接可能にしたことを特徴とする請求項１または請求項２に記載のひげかす排除板付き剃刀。
【発明の詳細な説明】
【０００１】
【発明の属する技術分野】
この発明は、各刃体間にひげかす排除板を備えた剃刀に係り、特に三枚刃安全剃刀及び二枚刃安全剃刀に関するものである。
【０００２】
【従来の技術】
従来、特公昭６０ー５８９９１号公報に記載の二枚刃安全剃刀においては、同公報の図面に示すように、刃受板１０と天板１２との間で下刃体１６とスペーサー兼ひげかす排除板１９と上刃体１４とが挟着され、この天板１２に対し一体に設けられた各脚部２４がこのひげかす排除板１９の各スペーサー部分１８に挿嵌されて刃受板１０に取着されている。
【０００３】
【発明が解決しようとする課題】
前記ひげかす排除板１９においてひげかす排除部２２と各スペーサー部分１８とは、互いに独立した隣接状態で、それぞれ上刃体１４と下刃体１６との間に介在されているため、このひげかす排除部２２が刃縁２８側に没入したり刃縁２８側から突出したりする場合、ひげかす排除部２２の動きが不安定になるおそれがある。
【０００４】
本発明は、ひげかす排除板を有する剃刀において、ひげかす押出部（前記ひげかす排除部２２に該当）の動きを安定させることを目的にしている。
【０００５】
【課題を解決するための手段】
後記実施形態の図面（図１〜８）の符号を援用して本発明を説明する。
請求項１の発明にかかるひげかす排除板付き剃刀は、下記のように構成されている。
【０００６】
取付体（２）で複数枚の刃体（６，７，８）を並べて支持し、互いに隣接する両刃体（６，７，８）間にひげかす排除板（９，１０）を備えている。前記ひげかす排除板（９，１０）にあっては、取付体（２）に取着した固定部（２２）と、ひげかす押出部（３４）を有する可動部（２４）と、この固定部（２２）に対しこの可動部（２４）を支持する連結部（２３）とを設けている。この可動部（２４）のひげかす押出部（３４）が、両刃体（６，７，８）間の刃先（６ａ，７ａ）側に没入するとともに、両刃体（６，７，８）間の刃先（６ａ，７ａ）側から突出する。この没入動作時や突出動作時に互いに摺接し得る重合面（２６ａ，３７）を前記固定部（２２）と可動部（２４）とに設けた。
【０００７】
請求項２の発明は、請求項１の発明に下記の構成を追加している。
前記取付体（２）は、刃台（３）と、天板（４）と、この刃台（３）と天板（４）との間で前記各刃体（６，７，８）及びひげかす排除板（９，１０）を挟持した状態でこの刃台（３）と天板（４）とを互いに連結する複数の支軸（５）とを有している。前記固定部（２２）は、この取付体（２）の支軸（５）が挿着される挿嵌部（２７）を有している。
【０００８】
請求項３の発明は、請求項１または請求項２の発明に下記の構成を追加している。
前記連結部（２３）は前記固定部（２２）に対し一体成形されている。前記可動部（２４）はこの連結部（２３）に対し折曲可能部（２５）を介して一体成形されている。この折曲可能部（２５）を折り曲げて前記固定部（２２）の重合面（２６ａ）上に前記可動部（２４）の重合面（３７）を載せて摺接可能にした。
【０００９】
【発明の実施の形態】
以下、本発明の一実施形態に係る三枚刃安全剃刀を図面を参照して説明する。
この三枚刃安全剃刀は、図示しないホルダと、図１及び図２に示す剃刀ヘッド１とを備えている。図示しないが、このホルダの上端頭部には、両支持腕が開閉動可能に設けられているとともに、この両支持腕間でプッシャが設けられている。前記剃刀ヘッド１は、このホルダの上端頭部において、両支持腕により着脱可能に支持されるとともにプッシャにより押圧された状態で傾動し得る。
【００１０】
＜前記剃刀ヘッド１の概要＞
図１及び図２に示すように、この剃刀ヘッド１は、刃台３と天板４と複数の支軸５とを有する取付体２のほかに、上刃体６と中刃体７と下刃体８と上側ひげかす排除板９と下側ひげかす排除板１０とガード体１１とを備えている。このガード体１１は上板部１１ａと下板部１１ｂとそれらの間の折曲部１１ｃとにより一体成形され、その折曲部１１ｃで複数のガード線１２（ガード部）が間隔部１３をあけて並設されている。前記各支軸５は天板４から一体に突設されている。
【００１１】
前記刃台３は載置台部１４とガード腕部１５と両持ち梁状の弾性腕部１６とにより一体成形されている。この載置台部１４の前側とガード腕部１５との間にはひげかす排除孔１７が形成されている。この載置台部１４の後側と弾性腕部１６との間には撓み許容孔１８が形成されている。なお、このガード腕部１５と弾性腕部１６とを結ぶ方向を前後方向Ａとする。
【００１２】
前記刃台３の載置台部１４上には、前記ガード体１１の下板部１１ｂと下刃体８と下側ひげかす排除板１０と中刃体７と上側ひげかす排除板９と上刃体６とガード体１１の上板部１１ａとが順次積み重ねられている。これらに前記各支軸５が貫通されて載置台部１４に連結され、これらは載置台部１４と天板４との間で挟持されている。この上側ひげかす排除板９は、互いに隣接する上刃体６と中刃体７との間の間隔を保持するスペーサを兼用している。この下側ひげかす排除板１０は、互いに隣接する中刃体７と下刃体８との間の間隔を保持するスペーサを兼用している。
【００１３】
前記各刃体６，７，８の刃先６ａ，７ａ，８ａは、前記ひげかす排除孔１７の上方で、天板４とガード腕部１５とを結ぶひげそり接線面Ｐの付近に位置している。前記ガード体１１の各ガード線１２は、この各刃先６ａ，７ａ，８ａの延設方向（前記前後方向Ａに対し直交する左右方向Ｂ）に沿って並設され、各刃先６ａ，７ａ，８ａの一部を覆う。各刃先６ａ，７ａ，８ａはこの各ガード線１２間の間隔部１３で露出している。
【００１４】
天板４の後側に形成された切欠部４ａで、前記弾性腕部１６には指当部１９が上方へ一体に突設されている。前記上側ひげかす排除板９及び下側ひげかす排除板１０は、この指当部１９に連結されている。
【００１５】
次に、この上側ひげかす排除板９及び下側ひげかす排除板１０を詳述する。
＜前記ひげかす排除板９，１０の展開状態＞
＊  図３に示す上側ひげかす排除板９
この上側ひげかす排除板９は、大別して、下板部２０と上板部２１とからなる。さらに、この下板部２０は固定部２２（下記・で詳述）と連結部２３（下記・で詳述）とを有し、この上板部２１は可動部２４（下記・で詳述）を有している。この連結部２３はこの固定部２２に対し一体成形され、この可動部２４はこの連結部２３に対し折曲可能部２５を介して一体成形されている。
【００１６】
・  前記固定部２２
この固定部２２は、左右方向Ｂへ延設された載置部２６と、この載置部２６の後側で左右方向Ｂへ分割されて並設された複数の挿嵌部２７と、この載置部２６の前側で左右方向Ｂへ間隔部２９をあけて分割されて並設された複数のストッパ部２８とからなる。この載置部２６の上面は帯状の重合面２６ａになっている。この各挿嵌部２７には支持孔２７ａが形成されている。この各ストッパ部２８上には係止突起２８ａが上方へ形成されている。
【００１７】
・  前記連結部２３
この連結部２３は、前記固定部２２の載置部２６の左右両端部から後方へ延設された支持腕部３０と、この左右両支持腕部３０間で前記折曲可能部２５を介して架設された左右両弾性部３１（可撓部）とからなる。この左右両弾性部３１には蛇行状の撓み部３１ａが形成されている。この連結部２３の左右両支持腕部３０及び左右両弾性部３１とこの折曲可能部２５と前記固定部２２の載置部２６及び各挿嵌部２７とで囲まれる部分は空間になっている。
【００１８】
・  前記可動部２４
この可動部２４は、前記折曲可能部２５につながる指当支持部３２と、この指当支持部３２につながって後方へ広がる連結板部３３と、この連結板部３３の後側に形成されたひげかす押出部３４とからなる。この指当支持部３２には左右一対の連結孔３２ａが形成されている。この連結板部３３には左右方向Ｂへ分割されて並設された複数の挿通孔３３ａが形成されている。このひげかす押出部３４は、左右方向Ｂへ切込み３５をあけて分割されて並設された複数の押出突起部３６を有している。この連結板部３３の上面には前記各挿通孔３３ａからひげかす押出部３４にわたり帯状の重合面３７がひげかす押出部３４に隣接するとともにひげかす押出部３４に沿って左右方向Ｂへ延設されている。
【００１９】
・  前記固定部２２と連結部２３と可動部２４における厚さ関係
前記固定部２２では各挿嵌部２７の厚さＴ1 と各ストッパ部２８の係止突起２８ａの厚さＴ1 とが互いに等しく設定されている。前記連結部２３における左右両支持腕部３０の厚さＴ2 と左右両弾性部３１の厚さＴ2 と前記可動部２４における指当支持部３２の厚さＴ2 と連結板部３３（重合面３７以外）の厚さＴ2 とひげかす押出部３４の各押出突起部３６の厚さＴ2 とが互いに等しく設定され、それらの厚さＴ2 は前記Ｔ1 よりも若干小さく設定されている。前記固定部２２における載置部２６（重合面２６ａの部分）の厚さＴ3 と前記折曲可能部２５の厚さＴ3 と前記可動部２４における連結板部３３（重合面３７の部分）の厚さＴ3 とが互いに等しく設定され、それらの厚さＴ3 は前記Ｔ1 ，Ｔ2 よりも小さく設定されている。そのため、この重合面２６ａが各挿嵌部２７と各係止突起２８ａと左右両支持腕部３０とに対し段差状をなし、この折曲可能部２５の上面が左右両弾性部３１と指当支持部３２とに対し段差状をなし、この重合面３７が連結板部３３（重合面３７以外）と各押出突起部３６とに対し段差状をなしている。一方、固定部２２の下面と連結部２３の下面と可動部２４の下面は面一になっている。
【００２０】
＊  図４に示す下側ひげかす排除板１０
この下側ひげかす排除板１０は、前述した上側ひげかす排除板９と同様な形状になっている。ただし、前後方向Ａの寸法については下側ひげかす排除板１０が上側ひげかす排除板９よりも大きく設定されている。
【００２１】
＜前記ひげかす排除板９，１０の折曲状態＞
＊  図５に示す上側ひげかす排除板９
図３に示す上側ひげかす排除板９は、折曲可能部２５で折り曲げた状態で、下板部２０（固定部２２及び連結部２３）上に上板部２１（可動部２４）が載置されて二重構造になる。この状態では、固定部２２の載置部２６の重合面２６ａに対し可動部２４の連結板部３３の重合面３７が載せられ、若干の隙間をあけてまたは接触して重なる。また、固定部２２の各ストッパ部２８間の間隔部２９に可動部２４のひげかす押出部３４の各押出突起部３６が位置するとともに、固定部２２の各ストッパ部２８の係止突起２８ａが可動部２４のひげかす押出部３４の各切込み３５に位置する。
【００２２】
＊  図６に示す下側ひげかす排除板１０
図４に示す下側ひげかす排除板１０は、折曲可能部２５で折り曲げた状態で、下板部２０（固定部２２及び連結部２３）上に上板部２１（可動部２４）が載置されて上側ひげかす排除板９と同様な二重構造になる。
【００２３】
＊  上記ひげかす排除板９，１０を剃刀ヘッド１に組み付けた状態
図２及び図５，６に示すように、上側ひげかす排除板９及び下側ひげかす排除板１０について、それぞれ、取付体２の各支軸５が可動部２４の各挿通孔３３ａを通して固定部２２の各挿嵌部２７に挿着される。また、折り曲げられた折曲可能部２５（指当支持部）と可動部２４の指当支持部３２とが互いに重なった状態で前記刃台３の指当部１９に連結される。この上側ひげかす排除板９及び下側ひげかす排除板１０の固定部２２において、各挿嵌部２７と各ストッパ部２８の係止突起２８ａとが互いに離間した状態で各刃体６，７，８間のスペーサ部として機能する。
【００２４】
上側ひげかす排除板９においては、固定部２２の各ストッパ部２８が上刃体６と中刃体７との間における刃先６ａ側でその内側（後側）に常に位置し、可動部２４のひげかす押出部３４（各切込み３５及び各押出突起部３６）は前記指当部１９を離した非操作状態でこの各ストッパ部２８間の間隔部２９に没入している。また、下側ひげかす排除板１０においては、固定部２２の各ストッパ部２８が中刃体７と下刃体８との間における刃先７ａ側でその内側（後側）に常に位置し、可動部２４のひげかす押出部３４（各切込み３５及び各押出突起部３６）は前記指当部１９を離した非操作状態でこの各ストッパ部２８間の間隔部２９に没入している。
【００２５】
上側ひげかす排除板９及び下側ひげかす排除板１０について、それぞれ、固定部２２の各ストッパ部２８がひげかす押出部３４の各切込み３５に入り込んで前記各ガード線１２とひげかす押出部３４との間に位置しているとともに、ひげかす押出部３４の各押出突起部３６が前記各ガード線１２間の間隔部１３に位置し、この各ストッパ部２８とこれに面する各ガード線１２との間で間隙Ｇが保持されている。
【００２６】
＜前記ひげかす排除板９，１０の非操作状態＞
図５に示す上側ひげかす排除板９や、図６に示す下側ひげかす排除板１０にあって、図２に示す指当部１９を離した非操作状態では、図７に示すように、ひげかす押出部３４の各押出突起部３６が刃先６ａ，７ａ側に没入している。
【００２７】
＜前記ひげかす排除板９，１０の操作状態＞
図５に示す上側ひげかす排除板９や、図６に示す下側ひげかす排除板１０にあって、図２に示す指当部１９を弾性腕部１６の弾性力に抗して前方へ押すと、指当支持部３２が左右両弾性部３１の弾性力に抗して同時に押圧され、図８に示すようにひげかす押出部３４の各押出突起部３６が刃先６ａ，７ａ側から突出して操作状態になる。一方、この指当部１９を離すと、弾性腕部１６の弾性力や左右両弾性部３１の弾性力により指当支持部３２が後方へ引かれ、図７に示すようにひげかす押出部３４の各押出突起部３６が刃先６ａ，７ａ側に没入して前記非操作状態に戻る。この突出動作時や没入動作時には、固定部２２の載置部２６の重合面２６ａに対し、可動部２４の連結板部３３の重合面３７が摺接する。
【００２８】
＜本実施形態の特徴＞
前記実施形態は下記＊の特徴（後記する他の技術的思想以外）を有する。
＊  各ひげかす排除板９，１０において可動部２４のひげかす押出部３４が刃先６ａ，７ａ側に没入したり刃先６ａ，７ａ側から突出したりする場合、固定部２２の重合面２６ａに対し可動部２４の重合面３７が摺接し得る。そのため、可動部２４のひげかす押出部３４が固定部２２の重合面２６ａに支えられる。従って、ひげかす押出部３４の動きを安定させることができる。
【００２９】
＊  各ひげかす排除板９，１０の固定部２２は、各挿嵌部２７で、取付体２にある既存の各支軸５に挿着される。そのため、各ひげかす排除板９，１０の固定部２２を取付体２に対し簡単にかつ確実に固定することができる。従って、ひげかす押出部３４の動きを安定させることができる。
【００３０】
＊  固定部２２と連結部２３と折曲可能部２５と可動部２４とを互いに一体成形し、この折曲可能部２５で折り曲げて固定部２２の重合面２６ａ上に可動部２４の重合面３７を載せて摺接可能にした。そのため、各ひげかす排除板９，１０の成形が行い易くなるとともに、その成形後に、折曲可能部２５を折り曲げるだけで各ひげかす排除板９，１０を簡単に組み付けることができる。
【００３１】
〔他の実施形態〕
前記実施形態以外に下記＊のように構成してもよい。
＊  前記実施形態では三枚刃安全剃刀を例示したが、二枚刃安全剃刀に変更する。その場合には、中刃体７を省略し、上刃体６と下刃体８との間に一枚のひげかす排除板を介在させる。
【００３２】
＊  ひげかす押出部３４において各切込み３５及び各押出突起部３６を省略し、ひげかす押出部３４の端縁を左右方向Ｂへ直線的に形成する。
＊  ひげかす排除板９，１０の連結部２３から弾性部３１を省略する。その場合には、前記弾性腕部１６のみがひげかす排除板９，１０の可動部２４に対し働く。また、ひげかす排除板９，１０の可動部２４については、弾性力を利用しないで移動させるようにしてもよい。
【００３３】
＊  取付体２において各支軸５を刃台３から突設して天板４に取着する。
＊  折曲可能部２５を固定部２２と連結部２３との間に設ける。この場合には、固定部２２のみが下板部２０になり、連結部２３及び可動部２４が上板部２１になる。
【００３４】
＊  折曲可能部２５を省略し、固定部２２と連結部２３と可動部２４とのうち少なくともいずれか一つのものを別々に成形する。
〔他の技術的思想〕
前記実施形態から把握できる技術的思想（請求項以外）を記載する。
【００３５】
（イ）  請求項３において、ひげかす排除板９，１０は、折曲可能部２５を折り曲げた状態で、固定部２２と連結部２３とからなる下板部２０と、可動部２４からなる上板部２１とにより構成され、この下板部２０上に上板部２１を載置した二重構造になっている。従って、ひげかす押出部３４を有する可動部２４の動きを安定させることができるとともに、ひげかす排除板９，１０の剛性を高めるることができる。
【００３６】
（ロ）  請求項３または上記（イ）において、折り曲げられた折曲可能部２５は、ひげかす排除板９，１０の可動部２４のひげかす押出部３４を没入動作及び突出動作させる指当支持部になっている。従って、折曲可能部２５を指当支持部に有効利用してひげかす排除板９，１０の構造を簡単にすることができる。
【００３７】
（ハ）  請求項１または請求項２または請求項３または上記（イ）または上記（ロ）において、各刃体６，７，８の刃先６ａ，７ａ，８ａの一部を覆う複数のガード部（ガード線１２）を刃先６ａ，７ａ，８ａの延設方向（左右方向Ｂ）に沿って間隔部１３をあけて並設し、ひげかす排除板９，１０の可動部２４のひげかす押出部３４と各ガード部（ガード線１２）との間でストッパ部２８を設けた。そのため、ひげかす押出部３４に多くのひげかす固形物（ひげかすや石鹸などが乾燥して固まったもの）が付着した場合、ひげかす排除板９，１０の操作時に、そのひげかす固形物がストッパ部２８に当たり、ガード部（ガード線１２）に当たることはなくなる。従って、ガード部（ガード線１２）を保護することができるばかりではなく、ひげかす押出部３４が刃先６ａ，７ａ側から確実に突出してひげかす排除機能を高めることができる。
【００３８】
（ニ）  上記（ハ）において、各ストッパ部２８はひげかす排除板９，１０の固定部２２に設けられ、この各ストッパ部２８とこれに面する各ガード部（ガード線１２）との間の間隙Ｇを保持した。従って、各ストッパ部２８を簡単な構造で設けることができるとともに、ガード部（ガード線１２）の保護機能とひげかす排除機能をより一層高めることができる。
【００３９】
（ホ）  上記（ニ）において、ひげかす排除板９，１０の可動部２４のひげかす押出部３４は、切込み３５をあけて複数に分割されて各刃体６，７，８の刃先６ａ，７ａ，８ａの延設方向（左右方向Ｂ）に沿って並設された各押出突起部３６を有し、この各押出突起部３６が各ガード部（ガード線１２）間の間隔部１３に位置し、ひげかす排除板９，１０の固定部２２の各ストッパ部２８は、間隔部２９をあけて複数に分割されて各刃体６，７，８の刃先６ａ，７ａ，８ａの延設方向（左右方向Ｂ）に沿って並設され、この各ストッパ部２８がひげかす押出部３４の各切込み３５に位置しているとともに、この各ストッパ部２８間の間隔部２９にひげかす押出部３４の各押出突起部３６が位置している。そのため、この各切込み３５が各ガード部（ガード線１２）とひげかす押出部３４のひげかす固形物との当接を回避する機能を果たし、各押出突起部３６を刃先６ａ，７ａ側から十分に突出させることができる。従って、ガード部（ガード線１２）の保護機能とひげかす排除機能をより一層高めることができる。
【００４０】
（ヘ）  請求項１または請求項２または請求項３または上記（イ）または上記（ロ）または上記（ハ）または上記（ニ）または上記（ホ）において、ひげかす排除板９，１０は各刃体６，７，８間の間隔を保持するスペーサを兼用している。従って、スペーサ機能及びひげかす排除機能を有する剃刀ヘッド１の構造を簡単にすることができる。
【００４１】
【発明の効果】
請求項１の発明にかかるひげかす排除板付き剃刀によれば、ひげかす排除板（９，１０）においてひげかす押出部（３４）を固定部（２２）で支えてひげかす押出部（３４）の動きを安定させることができる。
【００４２】
請求項２の発明によれば、請求項１の発明の効果に加え、ひげかす排除板（９，１０）において固定部（２２）を取付体（２）に対し簡単にかつ確実に固定してひげかす押出部（３４）の動きを安定させることができる。
【００４３】
請求項３の発明によれば、請求項１または請求項２の発明の効果に加え、ひげかす排除板（９，１０）の成形が行い易くなるとともに、その成形後に、折曲可能部（２５）を折り曲げるだけでひげかす排除板（９，１０）を簡単に組み付けることができる。
【図面の簡単な説明】
【図１】  本実施形態にかかるひげかす排除板付き剃刀の剃刀ヘッドにおいてひげかす排除板の非操作状態を示す平面図である。
【図２】  上記剃刀ヘッドの縦断面図である。
【図３】  （ａ）は上記剃刀ヘッドに組み込まれる上側ひげかす排除板の展開状態を示す平面図であり、（ｂ）は（ａ）のＸ1 ーＸ1 線拡大断面図である。
【図４】  （ａ）は上記剃刀ヘッドに組み込まれる下側ひげかす排除板の展開状態を示す平面図であり、（ｂ）は（ａ）のＸ2 ーＸ2 線拡大断面図である。
【図５】  （ａ）は上記剃刀ヘッドに組み込まれる上側ひげかす排除板の折曲状態を示す平面図であり、（ｂ）は（ａ）のＹ1 ーＹ1 線拡大断面図であり、（ｃ）は（ａ）のＹ2 ーＹ2 線拡大断面図である。
【図６】  （ａ）は上記剃刀ヘッドに組み込まれる下側ひげかす排除板の折曲状態を示す平面図であり、（ｂ）は（ａ）のＺ1 ーＺ1 線拡大断面図であり、（ｃ）は（ａ）のＺ2 ーＺ2 線拡大断面図である。
【図７】  （ａ）は図５（ａ）及び図６（ａ）の部分拡大平面図であり、（ｂ）は図５（ｂ）及び図６（ｂ）の部分拡大断面図であり、（ｃ）は図５（ｃ）及び図６（ｃ）の部分拡大断面図である。
【図８】  （ａ）（ｂ）（ｃ）はそれぞれひげかす排除板の操作状態を示す図７（ａ）（ｂ）（ｃ）相当図である。
【符号の説明】
１…剃刀ヘッド、２…取付体、３…刃台、４…天板、５…支軸、６…上刃体、６ａ…刃先、７…中刃体、７ａ…刃先、８…下刃体、８ａ…刃先、９…上側ひげかす排除板、１０…下側ひげかす排除板、２２…固定部、２３…連結部、２４…可動部、２６ａ…重合面、２７…挿嵌部、３１…弾性部、３４…ひげかす押出部、３７…重合面。
【図１】
0004450904.tif 000002
【図２】
0004450904.tif 000003
【図３】
0004450904.tif 000004
【図４】
0004450904.tif 000005
【図５】
0004450904.tif 000006
【図６】
0004450904.tif 000007
【図７】
0004450904.tif 000008
【図８】
0004450904.tif 000009